(57)【要約】【課題】装置内温度に応じて黒表示期間を適宜可変することによって、該黒表示期間内に液晶を確実に黒階調へ到達させることが可能な液晶表示装置を提供する。【解決手段】入力画像信号の１フレーム期間内で画像信号と黒表示信号とを液晶表示パネル６に書き込むことにより、動画表示の際に生じる動きぼけを防止する液晶表示装置であって、装置内温度を検出する温度センサー８と、前記検出された温度に基づいて、前記入力画像信号の１フレーム期間内における黒表示期間の割合を可変制御する制御手段３，９とを備えてなるものである。【選択図】  図１
2004226594.tif 000002
【特許請求の範囲】
【請求項１】
入力画像信号の１フレーム期間内で画像信号と黒表示信号とを液晶表示パネルに書き込むことにより、動画表示の際に生じる動きぼけを防止する液晶表示装置であって、
装置内温度を検出する温度検出手段と、
前記検出された温度に基づいて、前記入力画像信号の１フレーム期間内における黒表示期間の割合を可変制御する制御手段とを備えたことを特徴とする液晶表示装置。
【請求項２】
前記請求項１に記載の液晶表示装置において、
前記入力画像信号から、前記液晶表示パネルが画像表示期間経過後に該入力画像信号の定める透過率に到達するような強調変換信号を求める強調変換手段を設けたことを特徴とする液晶表示装置。
【発明の詳細な説明】
【０００１】
【発明の属する技術分野】
本発明は、液晶表示パネルを用いて画像を表示する液晶表示装置に関し、特に液晶表示パネルの応答特性に起因する動画表示の際の画質劣化を改善することができる液晶表示装置に関するものである。
【０００２】
【従来の技術】
近年、高精細、低消費電力、省スペースを実現できる液晶表示装置（ＬＣＤ）等のフラットパネル型表示装置（ＦＰＤ）が盛んに開発されてきており、その中でも特にコンピュータ表示装置やテレビジョン表示装置等の用途へのＬＣＤの普及は目覚しいものがある。しかしながら、このような用途に従来から主として用いられてきた陰極線管（ＣＲＴ）表示装置に対して、ＬＣＤにおいては、動きのある画像を表示した場合に、観視者には動き部分の輪郭がぼけて知覚されてしまうという、いわゆる「動きぼけ」の欠点が指摘されている。
【０００３】
動画表示における動きぼけが液晶の光学応答時間の遅れ以外に、例えば特開平９−３２５７１５号公報に記載されているように、ＬＣＤの表示方式そのものにも起因するという指摘がなされている。電子ビームを走査して蛍光体を発光させて表示を行うＣＲＴ表示装置においては、各画素の発光は蛍光体の若干の残光はあるものの概ねインパルス状となる、いわゆるインパルス型表示方式となっている。
【０００４】
これに対して、ＬＣＤ表示装置においては、液晶に電界を印加することにより蓄えられた電荷が次に電界を印加するまで比較的高い割合で保持されるため（特にＴＦＴ  ＬＣＤにおいては、画素を構成するドット毎にＴＦＴスイッチが設けられており、さらに通常は各画素毎に補助容量が設けられているので蓄えられた電荷の保持能力がきわめて高い）、液晶画素が次のフレームの画像情報に基づく電界印加により書き換えられるまで発光し続けるという、いわゆるホールド型表示方式である。
【０００５】
このような、ホールド型表示装置においては、画像表示光のインパルス応答が時間的な広がりを持つため、時間周波数特性が劣化して、それに伴い空間周波数特性も低下し、観視画像のぼけが生じる。そこで、例えば特開平９−１２７９１７号公報、特開平１１−１０９９２１号公報には、入力画像信号の１フレーム期間内において映像信号と黒信号とを繰返し液晶表示パネルに書き込むことにより、ある映像信号のフレームを走査してから次のフレームを走査するまで、画素の発光時間（画像表示期間）を短縮して、擬似的なインパルス型表示を実現する、所謂黒書込型の液晶表示装置が提案されている。
【０００６】
これについて、図１４乃至図１６とともに説明する。図１４は従来の液晶表示装置における要部構成を示す等価回路図であり、ここでは、４８０本のゲート線（走査線）Ｙ１〜Ｙ４８０と６４０本のデータ線（信号線）Ｘ１〜Ｘ６４０との交点に、マトリクス状に画素セルが配置された液晶表示パネルを用いるものとし、走査線Ｙ１〜Ｙ４８０はゲートドライバにより選択駆動されるともに信号線Ｘ１〜Ｘ６４０はソースドライバにより駆動される。
【０００７】
上記構成において、ある１フレームの垂直走査期間内に、ゲートドライバによって任意に選択された走査線が駆動されると、選択された走査線と信号線に接続されたスイッチング素子を通じてソースドライバより表示画像信号に相当する電圧が液晶画素に印加される。入力画像信号の表示走査線に対応して走査線の駆動を順次変更することにより、１画面分の画像信号の書き込みを行うことができる。
【０００８】
また、同じ１フレームの垂直走査期間内に、ゲートドライバによって任意に選択された走査線が駆動されると、選択された走査線と信号線に接続されたスイッチング素子を通じてソースドライバより黒信号に相当する電圧が液晶画素に印加される。この動作を駆動する走査線を変更して繰り返すことで、１フレームの垂直走査期間内に１画面分の画像信号の書き込みと黒信号の書き込みとを同時に行うことできる。
【０００９】
図１５は走査線に関するタイミングチャートである。走査線Ｙ１〜Ｙ４８０は、タイミングを少しずらして、１フレーム周期中において、画像信号を画素セルに書き込むために順次立ち上げられる。４８０本すべての走査線を立ち上げて、画像信号を画素セルに書き込むことで１フレーム周期が終了する。このとき、画像信号の書き込みのための立ち上げから１／２フレーム周期程遅れて、走査線Ｙ１〜Ｙ４８０を再度立ち上げて、各画素セルに、データ線Ｘを介して、黒を表示する電位を供給する。これにより、各画素セルは黒表示状態となる。
【００１０】
すなわち、各走査線Ｙは、１フレーム周期において、異なる期間で２回高レベルとなり、１回目の選択により画素セルは一定時間画像データを表示し、それに続く２回目の選択で、画素セルは強制的に黒表示を行う。このように、各走査線を画像表示のために選択する以外に、黒表示のために再度選択するとともに、それに応じて入力画像信号及び黒表示信号をデータ線へ供給するという一連の動作を１フレーム周期で行うことにより、図１６に示すように、あるフレーム画像表示と次のフレーム画像表示との間に黒信号を表示する期間（黒表示期間）を発生させることができる。
【００１１】
以上のように、入力画像信号の１フレーム期間内に画像表示期間と黒表示期間とを設けることによって、擬似的にホールド型駆動の表示状態からＣＲＴのようなインパルス型駆動の表示に近づけることができ、動画表示の際に生じる動きぼけによる画質劣化を改善することが可能となる。
【００１２】
【特許文献１】
特開平９−３２５７１５号公報
【特許文献２】
特開平９−１２７９１７号公報
【特許文献３】
特開平１１−１０９９２１号公報
【００１３】
【発明が解決しようとする課題】
上述した黒書込型の液晶表示装置においては、図１７に示すとおり、画像表示期間（１／２フレーム期間）内に液晶が入力画像信号の階調レベルに応じた透過率に到達するとともに、黒表示期間（１／２フレーム期間）内に液晶が黒階調レベルに対応した透過率に到達することが前提となっている。しかしながら、液晶の応答速度は温度依存性が非常に大きく、特に低温時の入力信号に対する追従性が極端に悪くなり、応答時間が増大することが知られている。
【００１４】
すなわち、高温時には如何なる階調遷移に対しても１／２フレーム期間内で目標階調輝度に応答可能な液晶表示パネルを用いた場合であっても、低温時には液晶の応答速度が遅くなり、例えば図１８に示すように、１／２フレーム期間で液晶が目標階調輝度に到達せず、残像が発生するだけでなく、中間調を正しく表示することができないという問題がある。
【００１５】
ここで、液晶の応答速度の問題を改善するために、１垂直期間前の入力画像信号と現垂直期間の入力画像信号との組み合わせに応じて、予め決められた現垂直期間の入力画像信号に対する階調電圧より高い（オーバーシュートされた）駆動電圧或いはより低い（アンダーシュートされた）駆動電圧を液晶表示パネルに供給する液晶駆動方法（オーバーシュート（ＯＳ）駆動）を用いて、所望の階調輝度表示を実現することが考えられる。
【００１６】
すなわち、これから表示するＭ番目の垂直表示期間の入力画像データ（Ｃｕｒｒｅｎｔ  Ｄａｔａ）と、フレームメモリに保存されたＭ−１番目の垂直表示期間の入力画像データ（Ｐｒｅｖｉｏｕｓ  Ｄａｔａ）との階調遷移パターンから、例えば図１９に示すような、ＯＳテーブルメモリ（ＲＯＭ）に保存されている付加電圧データ一覧表と照合し、照合して見つけ出した印加電圧データ（強調変換パラメータ）に基づいて、Ｍ番目の垂直表示期間の画像表示に要する書込階調データ（強調変換信号）を決定し、液晶表示パネルに印加することにより、図２０に示すように、目標の中間調を短時間で表示することが可能となる。
【００１７】
しかしながら、中間階調の画像信号に対しては、上記オーバーシュート駆動により強調変換を施すことで、液晶が目標階調輝度に応答到達する時間を短縮することが可能となるが、０階調レベルの黒表示信号に対しては、０階調以下に強調変換することができないため、液晶が目標階調である黒階調に到達するのに必要な時間を短縮することはできず、従って、図２１に示すように、画像表示期間内で入力画像信号の階調レベルに応じた透過率に液晶を到達させることができたとしても、黒表示期間内に黒階調レベルに応じた透過率に液晶を応答させることはできない。
【００１８】
このように、黒表示期間で液晶が黒階調に到達していないにもかかわらず、黒表示期間経過後に液晶が黒階調へ到達していることを前提にオーバーシュート駆動を行って、次のフレーム画像データに強調変換を施すと、液晶が画像信号の定める透過率以上に応答してしまい、正しい画像表示ができなくなるばかりか、場合によっては誤差がなしくずし的に増大して、除々に画素が白化してしまうという問題がある。
【００１９】
本発明は、上記課題に鑑みてなされたものであり、装置内温度に応じて黒表示期間を適宜可変することによって、黒表示期間内に液晶を確実に黒階調へ到達させることが可能な液晶表示装置を提供するものである。
【００２０】
【課題を解決するための手段】
本願の第１の発明は、入力画像信号の１フレーム期間内で画像信号と黒表示信号とを液晶表示パネルに書き込むことにより、動画表示の際に生じる動きぼけを防止する液晶表示装置であって、装置内温度を検出する温度検出手段と、前記検出された温度に基づいて、前記入力画像信号の１フレーム期間内における黒表示期間の割合を可変制御する制御手段とを備えたことを特徴とする。
【００２１】
本願の第２の発明は、前記入力画像信号から、前記液晶表示パネルが画像表示期間経過後に該入力画像信号の定める透過率に到達するような強調変換信号を求める強調変換手段を設けたことを特徴とする。
【００２２】
本発明の液晶表示装置によれば、入力画像信号の１フレーム期間内に画像表示期間と黒表示期間とを設けて、動きぼけによる画質劣化を抑制するとともに、装置内温度に応じて前記黒表示期間を適宜可変することによって、該黒表示期間内に液晶を確実に黒階調レベルに対応した透過率へ到達させることが可能となる。
【００２３】
また、前記画像表示期間で液晶が入力画像信号の定める透過率に到達するように適切な強調変換を施すことにより、液晶表示パネルの光学応答特性を補償して高画質な画像表示を実現することができる。
【００２４】
【発明の実施の形態】
以下、本発明の第１実施形態について、図１乃至図９とともに詳細に説明するが、上記従来例と同一部分には同一符号を付し、その説明は省略する。ここで、図１は本実施形態の液晶表示装置における概略構成を示す機能ブロック図、図２、図３は本実施形態の液晶表示装置におけるテーブルメモリ（ＲＯＭ）の一例を示す概略説明図、図４〜図６は本実施形態の液晶表示装置における走査線に関するタイミングチャート、図７は本実施形態の液晶表示装置における表示動作原理を示す概略説明図、図８、図９は本実施形態の液晶表示装置において６４階調の画像データが連続して入力された時の表示階調輝度（応答波形）を示す概略説明図である。
【００２５】
本実施形態の液晶表示装置は、図１に示すように、入力画像信号（ここでは、６０Ｈｚのプログレッシブスキャン信号）の階調レベルに応じた強調変換パラメータを格納しているＯＳテーブルメモリ（ＲＯＭ）１ａ，１ｂと、入力画像信号の階調レベルから、ＯＳテーブルメモリ（ＲＯＭ）１ａ，１ｂのいずれかを参照して、対応する強調変換パラメータを読み出し、この強調変換パラメータを用いて所定の画像表示期間経過後に液晶が入力画像信号の定める透過率となる強調変換信号（書込階調データ）を決定／出力する強調変換部２とを備えている。
【００２６】
また、強調変換部２からの強調変換信号に基づいて、ゲートドライバ４及びソースドライバ５を介して液晶表示パネル６へ駆動信号を出力する液晶コントローラ３と、黒レベル固定の黒表示信号をソースドライバ５に供給する黒信号発生部７とを備えている。
【００２７】
ここで、液晶コントローラ３は、入力画像信号の１フレーム周期において、各走査線を画像表示のために選択する以外に、黒表示のために再度選択するようゲートドライバ４を制御するとともに、上記走査線の選択に対応して画像信号（強調変換信号）及び黒表示信号を切り替えてデータ線へ供給するようソースドライバ５を制御している。これによって、入力画像信号の１フレーム期間内に画像表示期間と黒表示期間とを発生させることができ、擬似的なインパルス型表示を実現している。
【００２８】
さらに、本実施形態においては、装置内温度を検出するための温度センサー８と、この温度センサー８での検出温度に基づいて、入力画像信号の１フレーム期間内における黒表示期間の割合を可変するように液晶コントローラ３を制御するとともに、強調変換部２が参照するＯＳテーブルメモリ（ＲＯＭ）１ａ，１ｂを切り替えるように制御する制御ＣＰＵ９とを備えている。ここで、温度センサー８は、なるべく液晶表示パネル６そのものの温度を検出することが可能に設けられるのが望ましく、１個のみならず複数個をそれぞれ異なるパネル面内位置に設けて構成しても良い。
【００２９】
上記構成において、ＯＳテーブルメモリ（ＲＯＭ）１ａ，１ｂには、図２、図３に示すように、それぞれ異なる温度条件のもとで異なる画像表示期間（ここでは、１／３フレーム期間、１／４フレーム期間）内に液晶表示パネル６が入力画像信号の定める透過率となるような強調変換パラメータが格納されている。尚、本実施形態では、表示信号レベル数すなわち表示データ数が８ビットの２５６階調である場合において、３２階調毎の９つの代表階調レベルについての強調変換パラメータのみを記憶しており、その他の強調変換信号（印加電圧データ）については、上記強調変換パラメータから線形補完等の演算で求めるようにしているが、これに限られないことは言うまでもない。
【００３０】
また、これらの強調変換パラメータは、液晶表示パネル６の光学応答特性の実測値により求められるものであり、本実施形態では画像表示期間の直前（遷移前）で液晶が黒階調に応答到達していることを前提に、黒階調からスタートして画像表示期間内に液晶を目標階調へ応答させることが可能な強調変換パラメータが、入力画像信号の階調レベル毎に記憶されている。
【００３１】
以下、本実施形態の液晶表示装置の動作について説明する。温度センサー８で検出された装置内温度が高温（例えば２５℃〜）である場合は、遷移前の表示画像信号がどのような階調レベルであっても、入力画像信号の１／２フレーム期間内に液晶が黒階調レベルに対応した透過率に到達することが可能であるので、黒表示期間を入力画像信号の１／２フレーム期間とするように、液晶コントローラ３を制御する。
【００３２】
すなわち、図４に示すように、液晶表示パネル６の各走査線を画像表示のために順次立ち上げるとともに、１／２フレーム周期遅延して、液晶表示パネル６の各走査線を再度立ち上げて、黒信号発生部７より供給された黒表示信号を画素セルに書き込む。これによって、図７（ａ）に示すように、入力画像信号の１フレーム期間（＝１６．７ｍｓｅｃ）内において、入力画像信号を表示する画像表示期間（１／２フレーム期間＝８．３ｍｓｅｃ）と黒表示信号を表示する黒表示期間（１／２フレーム期間＝８．３ｍｓｅｃ）とを発生させることができる。
【００３３】
このとき、装置内温度が高温（例えば２５℃〜）である場合は、入力画像信号に強調変換を施さなくとも、画像表示期間（１／２フレーム期間＝８．３ｍｓｅｃ）内に液晶が入力画像信号の階調レベルに応じた透過率に応答するため、強調変換部２は入力画像信号に対する強調変換処理を行わず、そのままスルー出力するよう制御される。
【００３４】
以上のように、装置内温度が高温（例えば２５℃〜）である場合においては、入力画像信号に強調変換を施すことなく、画像表示期間と黒表示期間とをそれぞれ入力画像信号の１／２フレーム期間とすることにより、図１７に示すように、画像表示期間内で液晶を入力画像信号に対応した目標階調に応答させることが可能であるとともに、黒表示期間内で液晶を黒階調に到達させることができる。従って、良好なインパルス型表示を実現するとともに、中間調表示を含む動画像に対する液晶の応答性、忠実性を十分に実現することが可能である。
【００３５】
また、温度センサー８で検出された装置内温度が常温（例えば５℃〜２５℃）である場合は、液晶表示パネル６の光学応答特性が劣化して、入力画像信号の１／２フレーム期間内に液晶が黒階調レベルに対応した透過率に到達することができないため、黒表示期間を入力画像信号の２／３フレーム期間に増大するよう、液晶コントローラ３を制御する。
【００３６】
すなわち、図５に示すように、液晶表示パネル６の各走査線を画像表示のために順次立ち上げるとともに、１／３フレーム周期遅延して、液晶表示パネル６の各走査線を再度立ち上げて、黒信号発生部７より供給された黒表示信号を画素セルに書き込む。これによって、図７（ｂ）に示すように、入力画像信号の１フレーム期間（＝１６．７ｍｓｅｃ）内において、入力画像信号を表示する画像表示期間（１／３フレーム期間＝５．６ｍｓｅｃ）と黒表示信号を表示する黒表示期間（２／３フレーム期間＝１１．１ｍｓｅｃ）とを発生させることができる。
【００３７】
ここで、装置内温度が常温（５℃〜２５℃）である場合に、画像表示期間（１／３フレーム期間＝５．６ｍｓｅｃ）内に液晶を入力画像信号の階調レベルに応じた透過率に応答到達させるため、強調変換部２はＯＳテーブルメモリ（ＲＯＭ）１ａを参照して入力画像信号に対する強調変換処理を行い、入力画像信号の階調レベルに対応した強調変換信号（書込階調データ）を決定／出力するように制御される。
【００３８】
以上のように、装置内温度が常温（例えば５℃〜２５℃）である場合においては、画像表示期間と黒表示期間とをそれぞれ入力画像信号の１／３フレーム期間、２／３フレーム期間とするとともに、ＯＳテーブルメモリ（ＲＯＭ）１ａを参照して、画像表示期間（１／３フレーム期間＝５．６ｍｓｅｃ）内で液晶が入力画像信号の定める透過率となるよう、入力画像信号に強調変換処理を施す。
【００３９】
これによって、図８に示すように、画像表示期間内で液晶を入力画像信号に対応した目標階調に応答させることが可能であるとともに、黒表示期間内で確実に液晶を黒階調に到達させることができる。従って、良好なインパルス型表示を実現するとともに、中間調表示を含む動画像に対する液晶の応答性、忠実性を十分に実現することが可能となる。
【００４０】
尚、この場合、入力画像信号の１フレーム期間内における画像表示期間の短縮に伴い、バックライト光の利用効率が低下し、画像表示輝度が低下するので、画像表示期間の大きさにかかわらず入力画像信号と表示輝度との関係を一定とするために、液晶表示パネル６の裏面に配設されたバックライト光源（図示せず）の発光輝度（バックライト輝度）を増大させるようにすれば良い。
【００４１】
そしてまた、温度センサー８で検出された装置内温度が低温（例えば〜５℃）である場合は、液晶表示パネル６の光学応答特性がさらに劣化して、入力画像信号の２／３フレーム期間内に液晶が黒階調レベルに対応した透過率に到達することができないため、黒表示期間を入力画像信号の３／４フレーム期間に増大するよう、液晶コントローラ３を制御する。
【００４２】
すなわち、図６に示すように、液晶表示パネル６の各走査線を画像表示のために順次立ち上げるとともに、１／４フレーム周期遅延して、液晶表示パネル６の各走査線を再度立ち上げて、黒信号発生部７より供給された黒表示信号を画素セルに書き込む。これによって、図７（ｃ）に示すように、入力画像信号の１フレーム期間（＝１６．７ｍｓｅｃ）内において、入力画像信号を表示する画像表示期間（１／４フレーム期間＝４．２ｍｓｅｃ）と黒表示信号を表示する黒表示期間（３／４フレーム期間＝１２．５ｍｓｅｃ）とを発生させることができる。
【００４３】
ここで、装置内温度が低温（〜５℃）である場合に、画像表示期間（１／４フレーム期間＝４．２ｍｓｅｃ）内に液晶を入力画像信号の階調レベルに応じた透過率に応答到達させるため、強調変換部２はＯＳテーブルメモリ（ＲＯＭ）１ｂを参照して入力画像信号に対する強調変換処理を行い、入力画像信号の階調レベルに対応した強調変換信号（書込階調データ）を決定／出力するように制御される。
【００４４】
以上のように、装置内温度が低温（例えば〜５℃）である場合においては、画像表示期間と黒表示期間とをそれぞれ入力画像信号の１／４フレーム期間、３／４フレーム期間とするとともに、ＯＳテーブルメモリ（ＲＯＭ）１ｂを参照して、画像表示期間（１／４フレーム期間＝４．２ｍｓｅｃ）内で液晶が入力画像信号の定める透過率となるよう、入力画像信号に強調変換処理を施す。
【００４５】
これによって、図９に示すように、画像表示期間内で液晶を入力画像信号に対応した目標階調に応答させることが可能であるとともに、黒表示期間内で確実に液晶を黒階調に到達させることができる。従って、良好なインパルス型表示を実現するとともに、中間調表示を含む動画像に対する液晶の応答性、忠実性を十分に実現することが可能となる。
【００４６】
尚、この場合も、入力画像信号の１フレーム期間内における画像表示期間の短縮に伴い、バックライト光の利用効率が低下し、画像表示輝度が低下するので、画像表示期間の大きさにかかわらず入力画像信号と表示輝度との関係を一定とするために、液晶表示パネル６の裏面に配設されたバックライト光源（図示せず）の発光輝度（バックライト輝度）を増大させるようにすれば良い。
【００４７】
以上詳述したとおり、本実施形態の液晶表示装置によれば、装置内温度の低下に伴い、液晶の応答速度が遅くなるため、画像表示期間を短縮して黒表示期間を増大させることにより、黒表示期間経過後に液晶表示パネルを黒階調レベルに対応した透過率に到達させることが可能である。また、画像表示期間経過後に液晶表示パネルが入力画像信号の定める透過率に到達するように、入力画像信号に対して適切な強調変換を施すことによって、常に良好なインパルス型表示を実現するとともに、中間調表示を含む動画像に対する液晶の応答性、忠実性を十分に実現することが可能となる。
【００４８】
また、黒表示期間経過後すなわち画像信号を書き込む直前には、液晶を必ず黒階調に到達させることができるので、遷移前が常に０階調であるとの前提で、図２、図３に示したような、黒信号から画像信号への階調遷移に関する１次元のＯＳテーブルメモリ（ＲＯＭ）１ａ，１ｂを参照して、強調変換処理を行うことが可能である。これによって、１フレーム前の画像信号を記憶するためのフレームメモリ（ＦＭ）を不要とすることが可能になるとともに、ＯＳテーブルメモリの容量を大幅に削減することができる。さらに、液晶表示パネルの光学応答特性に対する測定時間の短縮につながり、また測定誤差により発生する画質劣化も防止することも可能となる。
【００４９】
そしてまた、入力画像信号の強調変換処理（オーバーシュート駆動）による強調度合いを大きくするほど、液晶の到達階調に誤差が生じるなどの弊害も大きくなるが、上記本実施形態では、各温度条件に応じてできるだけ大きな画像表示期間を確保することにより、入力画像信号に対する強調度合いを小さくして、強調変換処理（オーバーシュート駆動）による弊害を抑制することが可能である。さらに、高温時には画像表示期間を大きく設定することで、バックライト光源の発光輝度（バックライト輝度）を低温時に比べて低減することが可能であり、消費電力の増大を防止することができる。
【００５０】
尚、上記実施形態においては、強調変換部２とＯＳテーブルメモリ（ＲＯＭ）１ａ，１ｂとで強調変換手段を構成しているが、ＯＳテーブルメモリを設ける代わりに、例えば原画像データの階調レベルを変数とする１次元関数ｆ（ｃｕｒ）を用意しておき、これを用いて垂直表示周期（走査周期）に対する液晶表示パネル６の光学応答特性を補償する強調変換信号を求める構成としても良い。
【００５１】
また、上記実施形態においては、装置内温度が高温（例えば２５℃〜）の場合は、如何なる階調遷移に対しても入力画像信号の１／２フレーム期間で目標階調輝度へ応答可能な液晶表示パネルを用いて、強調変換処理を不要としているが、入力画像信号の１フレーム期間内における黒表示期間の割合、及び強調変換処理の有無やその強調度合いは、液晶表示パネルの光学応答特性に応じて適宜決定すれば良い。さらに、上記実施形態においては、装置内温度を３段階（５℃以下、５℃〜２５℃、２５℃以上）に分けて、入力画像信号の１フレーム期間内における黒表示期間の割合を可変しているが、本発明がこれに限られないことは言うまでもない。
【００５２】
次に、本発明の第２実施形態について、図１０乃至図１３とともに説明するが、上述した第１実施形態と同一部分には同一符号を付し、その説明は省略する。ここで、図１０は本実施形態の液晶表示装置における概略構成を示す機能ブロック図、図１１は本実施形態の液晶表示装置におけるフレーム周波数変換部の動作を示すタイミングチャート、図１２は本実施形態の液晶表示装置における信号切替部の動作を示すタイミングチャート、図１３は本実施形態の液晶表示装置における表示動作原理を示す概略説明図である。
【００５３】
本実施形態の液晶表示装置は、図１０に示すように、入力画像信号（ここでは、６０Ｈｚのプログレッシブスキャン信号）のフレーム周波数を２倍（１２０Ｈｚ）、３倍（１８０Ｈｚ）、４倍（２４０Ｈｚ）に変換するフレーム周波数変換部１０と、フレーム周波数変換部１０でフレーム周波数変換された画像信号と黒信号発生部７より出力された黒レベル固定の黒表示信号とを切り替え出力する信号切替部１１と、温度センサー８での検出温度に基づいて、フレーム周波数変換部１０、信号切替部１１の動作を制御することにより、入力画像信号の１フレーム期間内における黒表示期間の割合を可変するとともに、強調変換部１２が参照するＯＳテーブルメモリ（ＲＯＭ）１ａ，１ｂを切り替えるように制御する制御ＣＰＵ１９とを備えている。
【００５４】
ここで、フレーム周波数変換部１０は、例えばフレームメモリを備えたものであり、入力画像信号の１フレーム分の画像をフレームメモリに記憶した後、図１１（ｂ）に示すように、２倍のフレーム周波数（１２０Ｈｚ）で画像信号を２回繰り返し読み出すことで、液晶表示パネル１６に対するフレーム表示周期（垂直表示周期）が１／１２０秒（８．３ｍｓｅｃ）に時間軸圧縮された画像信号を出力するモードと、図１１（ｃ）に示すように、３倍のフレーム周波数（１８０Ｈｚ）で画像信号を２回繰り返し読み出すことで、液晶表示パネル１６に対するフレーム表示周期（垂直表示周期）が１／１８０秒（５．６ｍｓｅｃ）に時間軸圧縮された画像信号を出力するモードと、図１１（ｄ）に示すように、４倍のフレーム周波数（２４０Ｈｚ）で画像信号を４回繰り返し読み出すことで、液晶表示パネル１６に対するフレーム表示周期（垂直表示周期）が１／２４０秒（４．２ｍｓｅｃ）に時間軸圧縮された画像信号を出力するモードとを有している。これらのモードは、制御ＣＰＵ１９からの制御信号に基づいて切り替え制御される。
【００５５】
また、信号切替部１１は、制御ＣＰＵ１９からの制御信号に基づいて、入力画像信号の１フレーム期間（＝１６．７ｍｓｅｃ）における２番目の垂直表示期間以降の期間で黒表示信号を選択出力することにより、図１２（ａ）に示すように、１フレーム期間（１６．７ｍｓｅｃ）内で１／２に時間軸圧縮された画像信号に続けて黒表示信号を挿入して出力するモードと、図１２（ｂ）に示すように、１フレーム期間（１６．７ｍｓｅｃ）内で１／３に時間軸圧縮された画像信号に続けて黒表示信号を挿入して出力するモードと、図１２（ｃ）に示すように、１フレーム期間（１６．７ｍｓｅｃ）内で１／４に時間軸圧縮された画像信号に続けて黒表示信号を挿入して出力するモードとが切り替え可能となっている。
【００５６】
さらに、強調変換部１２は、ＯＳテーブルメモリ（ＲＯＭ）１ａ，１ｂのいずれかを参照して、現垂直表示期間の画像データに対応する強調変換パラメータを読み出し、この強調変換パラメータを用いて１垂直表示期間経過後に液晶が現画像データの定める透過率となる強調変換信号（書込階調データ）を求め、液晶コントローラ１３に出力する。液晶コントローラ１３は、ゲートドライバ１４及びソースドライバ１５を駆動制御して、図１２に示すような、液晶表示パネル１６の高速駆動表示を実現している。
【００５７】
以下、本実施形態の液晶表示装置の動作について説明する。温度センサー８で検出された装置内温度が高温（例えば２５℃〜）である場合は、遷移前の表示画像信号がどのような階調レベルであっても、入力画像信号の１／２フレーム期間内に液晶が黒階調レベルに対応した透過率に到達することが可能であるので、黒表示期間を入力画像信号の１／２フレーム期間とするように、フレーム周波数変換部１０、信号切替部１１を制御する。
【００５８】
すなわち、図１１（ｂ）に示すように、フレーム周波数変換部１０で入力画像信号のフレーム周波数を２倍（１２０Ｈｚ）に変換するとともに、図１２（ａ）に示すように、入力画像信号の１フレーム期間（＝１６．７ｍｓｅｃ）における２番目の垂直表示期間（＝８．３ｍｓｅｃ）で黒表示信号を選択出力するように信号切替部１１の切替制御を行う。
【００５９】
これによって、図１３（ａ）に示すように、液晶表示パネル１６を２倍速駆動表示し、画像信号の書込走査と黒表示信号の書込走査とを繰り返し行うことで、入力画像信号の１フレーム期間（＝１６．７ｍｓｅｃ）内において、入力画像信号を表示する画像表示期間（１／２フレーム期間＝８．３ｍｓｅｃ）と黒表示信号を表示する黒表示期間（１／２フレーム期間＝８．３ｍｓｅｃ）とを発生させることができる。
【００６０】
このとき、装置内温度が高温（例えば２５℃〜）である場合は、入力画像信号に強調変換を施さなくとも、画像表示期間（１／２フレーム期間＝８．３ｍｓｅｃ）内に液晶が入力画像信号の階調レベルに応じた透過率に応答するため、強調変換部１２は入力画像信号に対する強調変換処理を行わず、そのままスルー出力するように制御される。
【００６１】
以上のように、装置内温度が高温（例えば２５℃〜）である場合においては、入力画像信号に強調変換を施すことなく、画像表示期間と黒表示期間とをそれぞれ入力画像信号の１／２フレーム期間とすることにより、画像表示期間内で液晶を入力画像信号に対応した目標階調に応答させることが可能であるとともに、黒表示期間内で液晶を黒階調に到達させることができる。従って、良好なインパルス型表示を実現するとともに、中間調表示を含む動画像に対する液晶の応答性、忠実性を十分に実現することが可能である。
【００６２】
また、温度センサー８で検出された装置内温度が常温（例えば５℃〜２５℃）である場合は、液晶表示パネル１６の光学応答特性が劣化して、入力画像信号の１／２フレーム期間内に液晶が黒階調レベルに対応した透過率に到達することができないため、黒表示期間を入力画像信号の２／３フレーム期間に増大するよう、フレーム周波数変換部１０、信号切替部１１を制御する。
【００６３】
すなわち、図１１（ｃ）に示すように、フレーム周波数変換部１０で入力画像信号のフレーム周波数を３倍（１８０Ｈｚ）に変換するとともに、図１２（ｂ）に示すように、入力画像信号の１フレーム期間（＝１６．７ｍｓｅｃ）における２〜３番目の垂直表示期間（＝１１．１ｍｓｅｃ）で黒表示信号を選択出力するように信号切替部１１の切替制御を行う。
【００６４】
これによって、図１３（ｂ）に示すように、液晶表示パネル１６を３倍速駆動表示し、画像信号の書込走査の後、黒表示信号の書込走査を２回繰り返し行うことで、入力画像信号の１フレーム期間（＝１６．７ｍｓｅｃ）内において、入力画像信号を表示する画像表示期間（１／３フレーム期間＝５．６ｍｓｅｃ）と黒表示信号を表示する黒表示期間（２／３フレーム期間＝１１．１ｍｓｅｃ）とを発生させることができる。
【００６５】
ここで、装置内温度が常温（５℃〜２５℃）である場合に、画像表示期間（１／３フレーム期間＝５．６ｍｓｅｃ）内に液晶を入力画像信号の階調レベルに応じた透過率に応答到達させるため、強調変換部１２はＯＳテーブルメモリ（ＲＯＭ）１ａを参照して入力画像信号に対する強調変換処理を行い、入力画像信号の階調レベルに対応した強調変換信号（書込階調データ）を決定／出力するように制御される。
【００６６】
以上のように、装置内温度が常温（例えば５℃〜２５℃）である場合においては、画像表示期間と黒表示期間とをそれぞれ入力画像信号の１／３フレーム期間、２／３フレーム期間とするとともに、ＯＳテーブルメモリ（ＲＯＭ）１ａを参照して、画像表示期間（１／３フレーム期間＝５．６ｍｓｅｃ）内で液晶が入力画像信号の定める透過率となるよう、入力画像信号に強調変換処理を施す。
【００６７】
これによって、画像表示期間内で液晶を入力画像信号に対応した目標階調に応答させることが可能であるとともに、黒表示期間内で確実に液晶を黒階調に到達させることができる。従って、良好なインパルス型表示を実現するとともに、中間調表示を含む動画像に対する液晶の応答性、忠実性を十分に実現することが可能となる。
【００６８】
尚、この場合、入力画像信号の１フレーム期間内における画像表示期間の短縮に伴い、バックライト光の利用効率が低下し、画像表示輝度が低下するので、画像表示期間の大きさにかかわらず入力画像信号と表示輝度との関係を一定とするために、液晶表示パネル１６の裏面に配設されたバックライト光源（図示せず）の発光輝度（バックライト輝度）を増大させるようにすれば良い。
【００６９】
そしてまた、温度センサー８で検出された装置内温度が低温（例えば〜５℃）である場合は、液晶表示パネル１６の光学応答特性がさらに劣化して、入力画像信号の２／３フレーム期間内に液晶が黒階調レベルに対応した透過率に到達することができないため、黒表示期間を入力画像信号の３／４フレーム期間に増大するよう、フレーム周波数変換部１０、信号切替部１１を制御する。
【００７０】
すなわち、図１１（ｄ）に示すように、フレーム周波数変換部１０で入力画像信号のフレーム周波数を４倍（２４０Ｈｚ）に変換するとともに、図１２（ｃ）に示すように、入力画像信号の１フレーム期間（＝１６．７ｍｓｅｃ）における２〜４番目の垂直表示期間（＝１２．５ｍｓｅｃ）で黒表示信号を選択出力するように信号切替部１１の切替制御を行う。
【００７１】
これによって、図１３（ｃ）に示すように、液晶表示パネル１６を４倍速駆動表示し、画像信号の書込走査の後、黒表示信号の書込走査を３回繰り返し行うことで、入力画像信号の１フレーム期間（＝１６．７ｍｓｅｃ）内において、入力画像信号を表示する画像表示期間（１／４フレーム期間＝４．２ｍｓｅｃ）と黒表示信号を表示する黒表示期間（３／４フレーム期間＝１２．５ｍｓｅｃ）とを発生させることができる。
【００７２】
ここで、装置内温度が低温（〜５℃）である場合に、画像表示期間（１／４フレーム期間＝４．２ｍｓｅｃ）内に液晶を入力画像信号の階調レベルに応じた透過率に応答到達させるため、強調変換部１２はＯＳテーブルメモリ（ＲＯＭ）１ｂを参照して入力画像信号に対する強調変換処理を行い、入力画像信号の階調レベルに対応した強調変換信号（書込階調データ）を決定／出力するように制御される。
【００７３】
以上のように、装置内温度が低温（例えば〜５℃）である場合においては、画像表示期間と黒表示期間とをそれぞれ入力画像信号の１／４フレーム期間、３／４フレーム期間とするとともに、ＯＳテーブルメモリ（ＲＯＭ）１ｂを参照して、画像表示期間（１／４フレーム期間＝４．２ｍｓｅｃ）内で液晶が入力画像信号の定める透過率となるよう、入力画像信号に強調変換処理を施す。
【００７４】
これによって、画像表示期間内で液晶を入力画像信号に対応した目標階調に応答させることが可能であるとともに、黒表示期間内で確実に液晶を黒階調に到達させることができる。従って、良好なインパルス型表示を実現するとともに、中間調表示を含む動画像に対する液晶の応答性、忠実性を十分に実現することが可能となる。
【００７５】
尚、この場合も、入力画像信号の１フレーム期間内における画像表示期間の短縮に伴い、バックライト光の利用効率が低下し、画像表示輝度が低下するので、画像表示期間の大きさにかかわらず入力画像信号と表示輝度との関係を一定とするために、液晶表示パネル１６の裏面に配設されたバックライト光源（図示せず）の発光輝度（バックライト輝度）を増大させるようにすれば良い。
【００７６】
以上詳述したとおり、本実施形態の液晶表示装置によれば、装置内温度の低下に伴い、液晶の応答速度が遅くなるため、画像表示期間を短縮して黒表示期間を増大させることにより、黒表示期間経過後に液晶表示パネルを黒階調レベルに対応した透過率に到達させることが可能である。また、画像表示期間経過後に液晶表示パネルが入力画像信号の定める透過率に到達するように、入力画像信号に対して適切な強調変換を施すことによって、常に良好なインパルス型表示を実現するとともに、中間調表示を含む動画像に対する液晶の応答性、忠実性を十分に実現することが可能となる。
【００７７】
また、黒表示期間経過後すなわち画像信号を書き込む直前には、液晶を必ず黒階調に到達させることができるので、遷移前が常に０階調であるとの前提で、図２、図３に示したような、黒信号から画像信号への階調遷移に関する１次元のＯＳテーブルメモリ（ＲＯＭ）１ａ，１ｂを参照して、強調変換処理を行うことが可能である。これによって、１垂直表示期間前の画像信号を記憶するためのフレームメモリ（ＦＭ）を不要とすることが可能になるとともに、ＯＳテーブルメモリの容量を大幅に削減することができる。さらに、液晶表示パネルの光学応答特性に対する測定時間の短縮につながり、また測定誤差により発生する画質劣化も防止することも可能となる。
【００７８】
そしてまた、入力画像信号の強調変換処理（オーバーシュート駆動）による強調度合いを大きくするほど、液晶の到達階調に誤差が生じるなどの弊害も大きくなるが、上記本実施形態では、各温度条件に応じてできるだけ大きな画像表示期間を確保することにより、入力画像信号に対する強調度合いを小さくして、強調変換処理（オーバーシュート駆動）による弊害を抑制することが可能である。さらに、高温時には画像表示期間を大きく設定することにより、バックライト光源の発光輝度（バックライト輝度）、及び液晶表示パネルの駆動周波数を低温時に比べて低減することが可能であり、消費電力の増大を防止することができる。
【００７９】
尚、上記実施形態においては、強調変換部１２とＯＳテーブルメモリ（ＲＯＭ）１ａ，１ｂとで強調変換手段を構成しているが、ＯＳテーブルメモリを設ける代わりに、例えば現画像データの階調レベルを変数とする１次元関数ｆ（ｃｕｒ）を用意しておき、これを用いて垂直表示周期（走査周期）に対する液晶表示パネル１６の光学応答特性を補償する強調変換信号を求める構成としても良い。
【００８０】
また、上記実施形態においては、装置内温度が高温（例えば２５℃〜）の場合は、如何なる階調遷移に対しても入力画像信号の１／２フレーム期間で目標階調輝度へ応答可能な液晶表示パネルを用いて、強調変換処理を不要としているが、入力画像信号の１フレーム期間内における黒表示期間の割合、及び強調変換処理の有無やその強調度合いは、液晶表示パネルの光学応答特性に応じて適宜決定すれば良い。さらに、上記実施形態においては、装置内温度を３段階（５℃以下、５℃〜２５℃、２５℃以上）に分けて、入力画像信号の１フレーム期間内における黒表示期間の割合を可変しているが、本発明がこれに限られないことは言うまでもない。
【００８１】
【発明の効果】
本発明の液晶表示装置は、上記のような構成としているので、入力画像信号の１フレーム期間内に画像表示期間と黒表示期間とを設けて、動きぼけによる画質劣化を抑制するとともに、装置内温度に応じて前記黒表示期間を適宜可変することによって、該黒表示期間内に液晶を確実に黒階調レベルに対応した透過率へ到達させることが可能となる。
【００８２】
また、前記画像表示期間で液晶が入力画像信号の定める透過率に到達するように適切な強調変換を施すことにより、液晶表示パネルの光学応答特性を補償して高画質な画像表示を実現することができる。
【図面の簡単な説明】
【図１】本発明の液晶表示装置の第１実施形態における概略構成を示す機能ブロック図である。
【図２】本発明の液晶表示装置の第１実施形態において常温時に用いるテーブルメモリ（ＲＯＭ）の一例を示す概略説明図である。
【図３】本発明の液晶表示装置の第１実施形態において低温時に用いるテーブルメモリ（ＲＯＭ）の一例を示す概略説明図である。
【図４】本発明の液晶表示装置の第１実施形態における高温時の走査線に関するタイミングチャートである。
【図５】本発明の液晶表示装置の第１実施形態における常温時の走査線に関するタイミングチャートである。
【図６】本発明の液晶表示装置の第１実施形態における低温時の走査線に関するタイミングチャートである。
【図７】本発明の液晶表示装置の第１実施形態における表示動作原理を示す概略説明図である。
【図８】本発明の液晶表示装置の第１実施形態において常温時に６４階調の画像データが連続して入力された時の表示階調輝度（応答波形）を示す概略説明図である。
【図９】本発明の液晶表示装置の第１実施形態において低温時に６４階調の画像データが連続して入力された時の表示階調輝度（応答波形）を示す概略説明図である。
【図１０】本発明の液晶表示装置の第２実施形態における概略構成を示す機能ブロック図である。
【図１１】本発明の液晶表示装置の第２実施形態におけるフレーム周波数変換部の動作を示すタイミングチャートである。
【図１２】本発明の液晶表示装置の第２実施形態における信号切替部の動作を示すタイミングチャートである。
【図１３】本発明の液晶表示装置の第２実施形態における表示動作原理を示す概略説明図である。
【図１４】従来の液晶表示装置における要部構成を示す等価回路図である。
【図１５】従来の液晶表示装置における走査線に関するタイミングチャートである。
【図１６】従来の液晶表示装置における表示動作原理を示す概略説明図である。
【図１７】従来の液晶表示装置において高温時に６４階調の画像データが連続して入力された時の表示階調輝度（応答波形）を示す概略説明図である。
【図１８】従来の液晶表示装置において低温時に６４階調の画像データが連続して入力された時の表示階調輝度（応答波形）を示す概略説明図である。
【図１９】オーバーシュート駆動回路に用いるＯＳテーブルメモリにおけるテーブル内容の一例を示す概略説明図である。
【図２０】液晶に加える電圧と液晶の応答との関係を示す説明図である。
【図２１】従来の液晶表示装置にオーバーシュート駆動を適用した場合に６４階調の画像データが連続して入力された時の表示階調輝度（応答波形）を示す概略説明図である。
【符号の説明】
１ａ，１ｂ  テーブルメモリ（ＲＯＭ）
２、１２  強調変換部
３、１３  液晶コントローラ
４、１４  ゲートドライバ
５、１５  ソースドライバ
６、１６  液晶表示パネル
７  黒信号発生部
８  温度センサー
９、１９  制御ＣＰＵ
１０  フレーム周波数変換部
１１  信号切替部
【図１】
2004226594.tif 000003
【図２】
2004226594.tif 000004
【図３】
2004226594.tif 000005
【図４】
2004226594.tif 000006
【図５】
2004226594.tif 000007
【図６】
2004226594.tif 000008
【図７】
2004226594.tif 000009
【図８】
2004226594.tif 000010
【図９】
2004226594.tif 000011
【図１０】
2004226594.tif 000012
【図１１】
2004226594.tif 000013
【図１２】
2004226594.tif 000014
【図１３】
2004226594.tif 000015
【図１４】
2004226594.tif 000016
【図１５】
2004226594.tif 000017
【図１６】
2004226594.tif 000018
【図１７】
2004226594.tif 000019
【図１８】
2004226594.tif 000020
【図１９】
2004226594.tif 000021
【図２０】
2004226594.tif 000022
【図２１】
2004226594.tif 000023